(57)【要約】【課題】    安価に構成することができ、様々な場所や状況において気軽に用いることができるおみくじを提供する。【解決手段】少なくとも２以上のくじと、該くじを内部に収容し該くじを通過させる開口が形成された箱体と、を含んでなるおみくじであって、該箱体が、一枚の第１の板体を折ることで形成される折り部分を有してなる、おみくじである。前記箱体が、筒状の側面部と、該側面部の一端を塞ぐように取り付けられた第１底面部と、該側面部の他端を塞ぐように取り付けられた第２底面部と、を備えてなり、該側面部が、前記折り部分を有するものであってもよい。【選択図】  図１
0003109267.tif 000002
【実用新案登録請求の範囲】
【請求項１】
少なくとも２以上のくじと、該くじを内部に収容し該くじを通過させる開口が形成された箱体と、を含んでなるおみくじであって、
該箱体が、一枚の第１の板体を折ることで形成される折り部分を有してなる、おみくじ。
【請求項２】
前記箱体が、筒状の側面部と、該側面部の一端を塞ぐように取り付けられた第１底面部と、該側面部の他端を塞ぐように取り付けられた第２底面部と、を備えてなり、
該側面部が、前記折り部分を有するものである、請求項１に記載のおみくじ。
【請求項３】
前記側面部が、前記筒状になるように接合された略長方形の主表面を有する前記一枚の第１の板体を有して構成されるものである、請求項２に記載のおみくじ。
【請求項４】
前記第１の板体が紙である、請求項１乃至３のいずれか１に記載のおみくじ。
【請求項５】
前記第１の板体を構成する前記紙の表面に木目模様が付されているものである、請求項４に記載のおみくじ。
【請求項６】
前記くじが、一枚の第２の板体を折って形成される棒体を有してなる、請求項１乃至５のいずれか１に記載のおみくじ。
【請求項７】
前記第２の板体が紙である、請求項６に記載のおみくじ。
【請求項８】
前記第２の板体を構成する前記紙の表面に木目模様が付されているものである、請求項７に記載のおみくじ。
【請求項９】
前記箱体の体積が２０リットル以上である、請求項１乃至８のいずれか１に記載のおみくじ。
【請求項１０】
前記折り部分を形成する際に折られるべき部分の少なくとも１が折られていない状態の前記第１の板体を含んでなる、請求項１乃至９のいずれか１に記載のおみくじを作成するための製作セット。
【請求項１１】
前記くじを形成する際に折られるべき部分が折られていない状態の前記第２の板体を含んでなる、請求項６乃至８のいずれか１に記載のおみくじを作成するための製作セット。
【考案の詳細な説明】
【技術分野】
【０００１】
本考案は、おみくじに関し、より詳細には、少なくとも２以上のくじと、該くじを内部に収容し該くじを通過させる開口が形成された箱体と、を含んでなるおみくじに関する。
【背景技術】
【０００２】
おみくじは、仏閣や神社等において参拝客の将来（例えば、恋愛、事業、学業等）を占うため等の目的で提供されるものであり、様々な種類のものが知られている（例えば、特許文献１参照）。
これら様々な種類のおみくじのうち古来から長く用いられているものとして、少なくとも２以上のくじと、該くじを内部に収容し該くじを通過させる開口が形成された箱体と、を含んでなるおみくじ（以下、「箱おみくじ」という。）がある。箱おみくじは、情報が示された少なくとも２以上のくじが箱体に収容されており、箱おみくじの使用者は、箱体を振る等して箱体内部のくじをよく攪拌した後、箱体に形成された開口から１のくじを取り出すことで該１のくじに示された情報を得ることができる。該情報としては、参拝客の将来を占うような直接的な内容（例えば、「待ち人きたらず」、「恋愛かなわず」等）であったり、運勢の程度を示す内容（例えば、「大吉」、「小吉」、「凶」等）であったり、参拝客の将来を占うような直接的な内容を示した札のいずれを取得すべきかを示す番号（取り出したくじに書いてある番号と同じ番号の札を手渡される等）であったりと、様々である。
【０００３】
【特許文献１】実開平０５−０９５３７８号公報（請求項１）
【考案の開示】
【考案が解決しようとする課題】
【０００４】
しかしながら、このように仏閣や神社等において従来から用いられてきた箱おみくじの箱体は、通常、複数枚の板状の材木を接合（例えば、金具や接着剤等を用いて接合する。）することで構成されていたので、箱体を製造する際の作業費用（複数枚の板状の材木を接合するための作業を要する。）がいきおい高くなり、様々な場所や状況において気軽に箱おみくじを用いることができなかった。
そこで、本考案では、安価に構成することができ、様々な場所や状況において気軽に用いることができる箱おみくじを提供することを目的とする。
【課題を解決するための手段】
【０００５】
本考案の箱おみくじ（以下、「本おみくじ」という。）は、少なくとも２以上のくじと、該くじを内部に収容し該くじを通過させる開口が形成された箱体と、を含んでなるおみくじであって、該箱体が、一枚の第１の板体を折ることで形成される折り部分を有してなる、おみくじである。
本おみくじは、上述した従来の箱おみくじと同様、少なくとも２以上のくじと、該くじを内部に収容し該くじを通過させる開口が形成された箱体と、を含んでなるおみくじである。少なくとも２以上のくじには、様々な情報（例えば、「大吉」、「中吉」、「小吉」、「凶」等）が記載されており、本おみくじの使用者は、箱体を振る等して箱体内部のくじをよく攪拌した後、箱体に形成された開口から１のくじを取り出すことで該１のくじに示された情報（例えば、「大吉」等）を得ることができる。
そして、本おみくじの箱体は、一枚の第１の板体を折ることで形成される折り部分を有してなる。このため従来から用いられてきた箱おみくじの箱体のように、複数枚の板状の材木を接合（例えば、金具や接着剤等を用いて接合する。接合される隣接する板状の材木同士が同一平面に属さないように接合される。）することで形成されていた部分を、一枚の第１の板体を折ることで形成される折り部分により構成することができるので、該折り部分により構成される部分を複数枚の板状の材木を接合して構成する必要がないので箱体を安価に構成することができる。このため本おみくじは、安価に構成することができ、様々な場所や状況において気軽に用いることができる。
【０００６】
前記箱体が、筒状の側面部と、該側面部の一端を塞ぐように取り付けられた第１底面部と、該側面部の他端を塞ぐように取り付けられた第２底面部と、を備えてなり、該側面部が、前記折り部分を有するもの（以下、「側面部折り部分形成おみくじ」という。）であってもよい。
箱おみくじの箱体は、通常、中空の（直）多角柱（例えば、中空の（直）六角柱、中空の（直）五角柱、中空の（直）四角柱等）により構成されることが多い。このような中空の（直）多角柱の箱体は、通常、筒状の側面部と、該側面部の一端を塞ぐように取り付けられた第１底面部と、該側面部の他端を塞ぐように取り付けられた第２底面部と、を備えてなる（通常、第１底面部又は第２底面部のいずれかに、くじを通過させる前記開口が形成される。）。このとき側面部は、所定の母線（該（直）多角柱の母線）を交線とする２の平面を有しており、該所定の母線において第１の板体を折ることで形成される折り部分を側面部が有するようにすれば、該所定の母線を含む部分を折り部分により（複数枚の板状の部材（例えば、材木）を接合して構成することなく）うまく形成することができ、箱体を安価に構成することができる。
【０００７】
側面部折り部分形成おみくじの場合、前記側面部が、前記筒状になるように接合された略長方形の主表面を有する前記一枚の第１の板体を有して構成されるものであってもよい。
中空の（直）多角柱の箱体の側面部は、２の平面の交線となる所定の母線（該（直）多角柱の母線）を少なくとも３本以上（（直）多角柱が三角柱であれば３本、四角柱であれば４本、五角柱であれば５本、六角柱であれば６本、・・・ｎ角柱であればｎ本）有しているが、側面部が、前記筒状になるように接合された略長方形の主表面を有する前記一枚の第１の板体を有して構成されるようにすれば、２の平面の交線となる所定の母線を含む部分の全てか又は所定の母線を含む部分のうち接合されることで形成される部分（例えば、第１の板体の一縁と他縁とが接合されて前記筒状になる場合、該一縁と該他縁とが接合される部分）以外の部分を、一枚の第１の板体を折ることで形成される折り部分によりうまく構成することができ、箱体を一層安価に構成することができる。
【０００８】
前記第１の板体が紙であってもよい（以下、「紙形成第１の板体おみくじ」という。）。
第１の板体を紙とすることで、折り部分を有する箱体を安価かつ容易に構成することができるので、本おみくじを安価に構成することができ、様々な場所や状況において気軽に用いることができる。なお、第１の板体を構成する紙としては、折り部分が十分な強度等を保持することができるものであればいかなるものであってもよく何ら限定されるものではないが、例えば、段ボール、厚紙、板紙等を例示することができる。
【０００９】
紙形成第１の板体おみくじの場合、前記第１の板体を構成する前記紙の表面に木目模様が付されているものであってもよい。
従来の箱おみくじの箱体は木材により形成されることが多かったため、本おみくじの箱体が有する折り部分の表面も木目模様を有するようにすることで違和感をなくし重厚感を与えることができる。折り部分の表面が木目模様を有するようにするには、第１の板体を構成する前記紙の表面に木目模様が付すようにすればよく、該表面に木目模様を印刷したり、木目模様を有するフィルムを貼着するようにしてもよい。なお、第１の板体を構成する紙の表面とは、第１の板体の両主表面のうち、第１の板体が折り部分を形成した際に箱体の外面（くじが収容される内部に面する内面とは反対の面）を形成する主表面をいう。
【００１０】
前記くじが、一枚の第２の板体を折って形成される棒体を有してなるもの（以下、「第２の板体くじ形成おみくじ」という。）であってもよい。
箱体の内部に収容されるくじは、必要な情報を提示することができるものであれば様々な形状のものであってもよいが、例えば従来のおみくじにおいては箱体に形成された開口から取り出しやすくするため棒体（線分に沿って細長い形状を有するもの）形状のものがよく知られている。このような棒体のくじを形成するには、従来は木材、樹脂材料、金属等の丸棒や角棒（例えば、木材であれば削りだし、樹脂材料や金属であれば押し出し成形等によって形成される。）が用いられることが多かったが、一枚の第２の板体を折って形成される棒体を用いるようにすれば容易に形成することができるので、本おみくじを安価に構成することができ、様々な場所や状況において気軽に用いることができる。
【００１１】
第２の板体くじ形成おみくじの場合、前記第２の板体が紙であってもよい（以下、「紙形成第２の板体おみくじ」という。）。
第２の板体を紙とすることで、くじを安価かつ容易に構成することができるので、本おみくじを安価に構成することができ、様々な場所や状況において気軽に用いることができる。なお、第２の板体を構成する紙としては、くじが十分な強度等を保持することができるものであればいかなるものであってもよく何ら限定されるものではないが、例えば、段ボール、厚紙、板紙等を例示することができる。
【００１２】
紙形成第２の板体おみくじの場合、前記第２の板体を構成する前記紙の表面に木目模様が付されているものであってもよい。
従来のくじは木材により形成されることが多かったため、本おみくじのくじの表面も木目模様を有するようにすることで違和感をなくし重厚感を与えることができる。くじの表面が木目模様を有するようにするには、第２の板体を構成する前記紙の表面に木目模様が付すようにすればよく、該表面に木目模様を印刷したり、木目模様を有するフィルムを貼着するようにしてもよい。なお、第２の板体を構成する紙の表面とは、第２の板体の両主表面のうち、第２の板体がくじを形成した際にくじの外面を形成する主表面をいう。
【００１３】
前記箱体の体積が２０リットル以上であってもよい。
前述のように本おみくじの箱体は、従来から用いられてきた箱おみくじの箱体のように、複数枚の板状の材木を接合することで形成されていた部分を、一枚の第１の板体を折ることで形成される折り部分により構成することができるので、箱体を安価に構成することができる。このため本おみくじの箱体は大きな寸法のものでも比較的安価に構成することができるので、従来の箱おみくじの箱体では通常形成することが難しい（箱体が非常に高価になる等）程度の大きなものでも容易に形成することができる。従来から用いられてきた箱おみくじの箱体の体積は、通常、数リットル程度であったので、本おみくじの箱体の体積をある程度以上大きくすると、従来の箱おみくじでは得られなかったような変わった印象を本おみくじに与えることができる。該変わった印象を本おみくじに与えるには、本おみくじの箱体の体積を２０リットル以上とすることが好ましい（使用の便等からは、通常、１００リットル以下である。）。
【００１４】
本おみくじは、完成品を製造及び／又は販売してもよいが、本おみくじを作成するための製作セットを製造及び／又は販売してもよい。
該製作セットとしては、前記折り部分を形成する際に折られるべき部分の少なくとも１が折られていない状態の前記第１の板体を含んでなる、本おみくじを作成するための製作セットであってもよい。かかる製作セットにおいては、第１の板体が折り部分を形成する際に折られるべき部分の少なくとも１が折られていないので、該製作セットは本おみくじの完成品に比してかさばらず運送、持ち運び、収納が便利である。該製作セットは、本おみくじが必要な場所に運ばれて、該場所において組み立て（第１の板体のうち折り部分を形成する際に折られるべき部分が折られる等する。）られて本おみくじを構成し用いられることができる。
【００１５】
また、第２の板体くじ形成おみくじについては、完成品を製造及び／又は販売してもよいが、運送、持ち運び、収納等を便ならしめるため、くじを形成する際に折られるべき部分が折られていない状態の前記第２の板体を含んでなる、第２の板体くじ形成おみくじを作成するための製作セットを製造及び／又は販売してもよい。該製作セットはくじを形成する際に折られるべき部分が折られていない状態の前記第２の板体を含んでなるので、第２の板体くじ形成おみくじ完成品に比してかさばらないので運送、持ち運び、収納が便利である。該製作セットは、第２の板体くじ形成おみくじが必要な場所に運ばれて、該場所において組み立て（第２の板体のうちくじを形成する際に折られるべき部分が折られる等する。）られて第２の板体くじ形成おみくじを構成し用いられることができる。
【考案を実施するための最良の形態】
【００１６】
本考案の実施の形態を図面を参照して詳述するが、本考案はこれに限定されるものではない。
【００１７】
図１は、一例の本考案のおみくじ（本おみくじ）の箱体１３を示す斜視図であり、図２は図１のＡ−Ａ端面図であり、図３は図１のＢ−Ｂ断面図（一部省略）である。図１乃至図３を参照して、一例の本おみくじの箱体１３について説明する。なお、図１及び図３中、上方向を矢印Ｆ１にて、そして下方向を矢印Ｆ２にて、それぞれ示した。
箱体１３は、全体として（直）正六角柱形状をほぼしており、具体的には、筒状の側面部１５と、側面部１５の一端（ここでは下端）を塞ぐように取り付けられた第１底面部１７（ここでは下面）と、側面部１５の他端（ここでは上端）を塞ぐように取り付けられた第２底面部１９（ここでは上面）と、を備えてなる。
また、ここでは箱体１３が形成する（直）正六角柱形状の底面である正六角形の一辺の長さ（図１及び図２中、矢印Ｎ）は約１７ｃｍであり、（直）正六角柱の高さ（図１中、矢印Ｑ）は約６５．５ｃｍである。そして、側面部１５と第１底面部１７と第２底面部１９との表面には木目模様が表されている。
そして、ここでは側面部１５が、筒状になるように接合された略長方形の主表面を有する前記一枚の第１の板体（ここでは段ボールにより形成されている。）を有して構成されている。具体的には、略長方形の主表面を有する一枚の第１の板体のうち、略長方形の４辺のうち互いに略平行な２辺のうちの一辺近傍１５ａと、該２辺のうちの他辺近傍１５ｂと、が接合（ここでは一辺近傍１５ａと他辺近傍１５ｂとが重合され両者１５ａ、１５ｂ間が接着剤により接着されている。特に図２参照。）されることで、側面部１５が（直）正六角柱の側面部分を略形成している。
【００１８】
側面部１５の一端（ここでは下端）を塞ぐように取り付けられた第１底面部１７は、略正六角形の部分１７ｂを有する段ボールにより形成されており、該略正六角形の部分１７ｂが、側面部１５が形成する筒の一端（ここでは下端）を塞ぐように取り付けられている。具体的には、第１底面部１７が有する該略正六角形の部分１７ｂの周囲に形成された第１底面部糊代部分１７ａが、側面部１５が形成する筒の内面に接着されることで第１底面部１７は側面部１５の一端（ここでは下端）に取り付けられている。
【００１９】
同様に、側面部１５の他端（ここでは上端）を塞ぐように取り付けられた第２底面部１９は、略正六角形の部分１９ｂを有する段ボールにより形成されており、該略正六角形の部分１９ｂが、側面部１５が形成する筒の他端（ここでは上端）を塞ぐように取り付けられている。具体的には、第２底面部１９が有する該略正六角形の部分１９ｂの周囲に形成された第２底面部糊代部分１９ａが、側面部１５が形成する筒の内面に接着されることで第２底面部１９は側面部１５の他端（ここでは上端）に取り付けられている。また、第２底面部１９の該略正六角形の部分１９ｂのほぼ中心部分には、くじ（図示せず）を通過させる開口１９ｈが略円形に形成されている。
【００２０】
このように側面部１５と第１底面部１７と第２底面部１９とによって、略正六角柱（直六角柱である。）形状の立体が形成されている。
そして、側面部１５と第１底面部１７との接合近傍部分（側面部１５の下端近傍と第１底面部１７の略正六角形の部分１７ｂの縁部分との部分）を覆うように被覆シール２１が貼着されている。被覆シール２１は、表面が黒色に錨を真似た円形形状の模様が付されており意匠的な効果を奏すると共に、側面部１５と第１底面部１７との接合を強固ならしめている。
同様に、側面部１５と第２底面部１９との接合近傍部分（側面部１５の上端近傍と第２底面部１９の略正六角形の部分１９ｂの縁部分との部分）を覆うように被覆シール２３が貼着されている。被覆シール２３は、表面が黒色に錨を真似た円形形状の模様が付されており意匠的な効果を奏すると共に、側面部１５と第２底面部１９との接合を強固ならしめている。
また、側面部１５の外面には、「おみくじ」なる文字が表された表示シール２５が貼着されており、意匠的な効果を奏している。
加えて、第２底面部１９の該略正六角形の部分１９ｂに形成された開口１９ｈの周囲を覆うように、開口保護シール２７が貼着されている。開口１９ｈを経由してくじ（図示せず）が出し入れされるので、開口１９ｈ周囲の第２底面部１９を保護（開口１９ｈ周囲が擦り切れたり破れたり等しないように保護する。）するために開口保護シール２７は貼着されている。
以上のように、ここでは側面部１５、第１底面部１７、第２底面部１９、被覆シール２１、被覆シール２３、表示シール２５、開口保護シール２７を有して、箱体１３が形成されている。
【００２１】
図４は、一例の本おみくじの１のくじ３１を示す斜視図であり、図５は図４のＤ−Ｄ断面図である。図４及び図５を参照して、１のくじ３１について説明する。なお、本おみくじには、図４及び図５に示したくじ３１と同様のくじが複数用いられるが、ここではそれら複数のくじのうち１のものを示している。また、くじ３１の表面には木目模様が表されている。
くじ３１は、直線Ｊ（図４）に沿って細長い棒状をしており、その長手方向（直線Ｊ方向）に対して垂直な断面（図５）は略長方形（特に、図５参照）の形状を有している。ここでは、くじ３１は、略長方形の主表面を有する一枚の第２の板体（ここでは段ボールにより形成されている。）を折って形成される棒体を有して構成されており、具体的には、略長方形の主表面を有する一枚の第２の板体のうち、略長方形の４辺のうち互いに略平行な２辺（長辺）のうちの一辺近傍３１ａと、該２辺のうちの他辺近傍３１ｂと、が接合（ここでは一辺近傍３１ａと他辺近傍３１ｂとが重合され両者３１ａ、３１ｂ間が接着剤により接着されている。特に図５参照。）されることで、長手方向（直線Ｊ方向）に対する垂直断面が略長方形の棒体（即ち、細長い直方体形状）が形成されている。なお、くじ３１は、第２底面部１９の該略正六角形の部分１９ｂに形成された開口１９ｈを経由して箱体１３に自由に出し入れできるような大きさ及び形状にされると共に、必要な複数のくじ３１が箱体１３内部に収容可能な大きさ及び形状にされている。
【００２２】
くじ３１の一端側近傍の外面には、「中吉」なる文言が表された表示シール３３が貼着されている。ここでは表示シール３３は「中吉」なる文言が表されているが、表示シール３３には「大吉」、「小吉」、「凶」等の文言が示されるものも用意される。これら「大吉」、「中吉」、「小吉」、「凶」等の様々な文言が表示された表示シール３３がくじ３１に貼着されることで、「大吉」、「中吉」、「小吉」、「凶」等の様々な文言がくじ３１に表示される。
このような「大吉」が表示されたくじ３１、「中吉」が表示されたくじ３１、「小吉」が表示されたくじ３１、「凶」が表示されたくじ３１等（少なくとも２以上のくじ）が、箱体１３の内部に収容されることで、一例の本おみくじが完成される。
【００２３】
図６乃至図９は、図１乃至図５に示した一例の本おみくじを作成するための製作セットを示す図である。図６乃至図９を参照して、本おみくじを作成するための製作セットについて説明する。
図６は、側面部１５を形成するための筒状になるように接合された略長方形の主表面を有する一枚の第１の板体４１を示した図であり、図６（ａ）は第１の板体４１の正面図（表示シール２５が貼着される面に対して垂直方向から見たところを示す。）であり、図６（ｂ）は図６（ａ）のＣ−Ｃ断面図である。図６（ａ）及び（ｂ）に示すように、第１の板体４１は、略長方形の主表面を有しており、略長方形の４辺のうち互いに略平行な２辺のうちの一辺近傍４５ａと、該２辺のうちの他辺近傍４５ｂと、が接合（ここでは一辺近傍４５ａと他辺近傍４５ｂとが重合され両者４５ａ、４５ｂ間が接着剤により接着されている。特に図６（ｂ）参照。）されることで、筒状（両端が開放されている）に形成されている。なお、図６（ａ）中、点線Ｋは折目（図６（ｂ）には図示していない）を示している。また、第１の板体４１の表面４１ｓには木目模様が付されている。
【００２４】
図７（ａ）は第２底面部１９を構成するための板状部材５１（段ボール製）を示す平面図であり、図７（ｂ）は第１底面部１７を構成するための板状部材５５（段ボール製）を示す平面図である。
図７（ａ）に示す板状部材５１は、略正六角形の部分５１ｂと、略正六角形の部分５１ｂの周囲に形成された糊代部分５１ａと、を有している。板状部材５１が第２底面部１９を形成した際、略正六角形の部分５１ｂは略正六角形の部分１９ｂとなり、糊代部分５１ａは第２底面部糊代部分１９ａとなる。また、略正六角形の部分５１ｂのほぼ中心部分には、略円形の開口５１ｈ（板状部材５１が第２底面部１９を形成した際、開口１９ｈとなる。）が形成されている。なお、板状部材５１の両主表面のうち第２底面部１９の上面（即ち、箱体１３の外面となる面）となる面５１ｓには木目模様が付されている。
図７（ｂ）に示す板状部材５５は、略正六角形の部分５５ｂと、略正六角形の部分５５ｂの周囲に形成された糊代部分５５ａと、を有している。板状部材５５が第１底面部１７を形成した際、略正六角形の部分５５ｂは略正六角形の部分１７ｂとなり、糊代部分５５ａは第１底面部糊代部分１７ａとなる。なお、板状部材５５の両主表面のうち第１底面部１７の下面（即ち、箱体１３の外面となる面）となる面５５ｓには木目模様が付されている。
【００２５】
図８は、１のくじ３１を形成するための第２の板体６１（段ボール製）を示す平面図である。なお、ここでは１枚の第２の板体６１を示しているが、実際にはくじ３１の本数と同じ枚数が前記製作セットに含まれている。
第２の板体６１は、ほぼ略長方形の主表面を有しており、略長方形の４辺のうち互いに略平行な２辺（長辺）のうちの一辺近傍６１ａと、該２辺のうちの他辺近傍６１ｂと、が接合（ここでは一辺近傍６１ａと他辺近傍６１ｂとが重合され両者６１ａ、６１ｂ間が接着剤により接着される。）されることで、長手方向（直線Ｊ方向）に対する垂直断面が略長方形の棒体（即ち、細長い直方体形状）が形成される。なお、図８中、線Ｍは折目を示している。また、第２の板体６１の両主表面のうちくじ３１の外面（図４及び図５中、外面３１ｓ）となる面６１ｓには木目模様が付されている。
【００２６】
図９は、前記製作セットに含まれるシール７０を示している（図９に示された面とは反対の面には糊が塗布されており、図示しないシール台紙に貼着されている。このため以下述べるそれぞれのシール部は該シール台紙からはがされた後、自由に貼着できるようになっている。）。即ち、被覆シール２１を形成する３枚の第１被覆シール部７１ａ、７１ｂ、７１ｃと、被覆シール２３を形成する３枚の第２被覆シール部７３ａ、７３ｂ、７３ｃと、表示シール２５を形成する２枚の表示シール部７５ａ、７５ｂと、開口保護シール２７を形成する開口保護シール部７７と、くじ３１の表示シール３３を形成するくじ表示シール部７９（前述の通り、「大吉」、「中吉」、「小吉」、「凶」等の異なる文言が表示されたものが存する。）と、予備のくじ表示シール部７９ａ（任意の文言が自由に記入できるよう白紙になっている）と、を含んでシール７０は構成されている。
【００２７】
このような図６乃至図９に示すようなものを含む前記製作セットを用いて、図１乃至図５に示した一例の本おみくじを製作するためには次のようにすればよい。
箱体１３を形成するには、概ね次のようにすればよい。
第１に、図６に示した第１の板体４１を側面部１５の形状になるようにくせをつける（具体的には、点線Ｋの部分を折る）。
第２に、図７（ａ）の板状部材５１の糊代部分５１ａを略正六角形の部分５１ｂに対して折り曲げ、糊代部分５１ａに糊を付着させた後、第１の板体４１に取り付ける（具体的には、糊代部分５１ａの糊により第１の板体４１の内面に接着する。）。
第３に、図７（ｂ）の板状部材５５の糊代部分５５ａを略正六角形の部分５５ｂに対して折り曲げ、糊代部分５５ａに糊を付着させた後、第１の板体４１に取り付ける（具体的には、糊代部分５５ａの糊により第１の板体４１の内面に接着する。）。
第４に、第１被覆シール部７１ａ、７１ｂ、７１ｃを側面部１５と第１底面部１７との接合近傍部分（側面部１５の下端近傍と第１底面部１７の略正六角形の部分１７ｂの縁部分との部分）を覆うように貼着する（被覆シール２１）。
第５に、第２被覆シール部７３ａ、７３ｂ、７３ｃを側面部１５と第２底面部１９との接合近傍部分（側面部１５の上端近傍と第２底面部１９の略正六角形の部分１９ｂの縁部分との部分）を覆うように貼着する（被覆シール２３）。
第６に、表示シール部７５ａ、７５ｂ（表示シール２５）と開口保護シール部７７（開口保護シール２７）とを貼着する。
【００２８】
くじ３１を形成するには、概ね次のようにすればよい。
第１に、図８に示した第２の板体６１がくじ３１の形状になるようにくせをつける（具体的には、線Ｍの部分を折る）。
第２に、一辺近傍６１ａに接着剤を塗布し、一辺近傍６１ａと他辺近傍６１ｂとを重合させ両者６１ａ、６１ｂ間を接着する。
第３に、くじ表示シール部７９を貼着する。
これら第１〜第３を、必要なくじ３１の本数分繰り返す。
最後に、形成したくじ３１を、開口１９ｈを経由して箱体１３内部に収容し、図１乃至図５に示した一例の本おみくじが完成される。
この図１乃至図５に示した一例の本おみくじは、使用者が箱体１３を手で持ち、逆さ（開口１９ｈが形成された第２底面部１９が下面になるようにする。）にして振る等することで、開口１９ｈから１のくじ３１が出てくるので、該出てきたくじ３１に貼着されている表示シール３３に示された「大吉」、「小吉」、「凶」等の文言を該使用者は知ることができ、自分の運勢を占うことができる。
【００２９】
以上説明したように、図１乃至図５に示した一例の本おみくじは、少なくとも２以上のくじ３１と、該くじ３１を内部に収容し該くじ３１を通過させる開口１９ｈが形成された箱体１３と、を含んでなるおみくじである。そして、箱体１３が、一枚の第１の板体４１を折ることで形成される折り部分（ここでは側面部１５全体）を有してなる、おみくじである。
また、箱体１３が、筒状の側面部１５と、側面部１５の一端を塞ぐように取り付けられた第１底面部１７と、側面部１５の他端を塞ぐように取り付けられた第２底面部１９と、を備えてなり、側面部１５が前記折り部分を有する（ここでは側面部１５全体が折り部分である。）。
そして、側面部１５が、前記筒状になるように接合された略長方形の主表面を有する前記一枚の第１の板体４１を有して構成される。
さらに、ここでは第１の板体４１が紙（段ボール）であり、第１の板体４１を構成する紙（段ボール）の表面４１ｓに木目模様が付されている。
加えて、ここでは箱体１３の体積は約４５リットルであり２０リットル以上である。
【００３０】
くじ３１が、一枚の第２の板体６１を折って形成される棒体を有してなる。そして、第２の板体６１が紙（段ボール）であり、第２の板体６１を構成する紙（段ボール）の表面６１ｓに木目模様が付されている。
図６乃至図９に示すようなものを含む本おみくじの製作セットは、前記折り部分（ここでは側面部１５全体）を形成する際に折られるべき部分（図６中、点線Ｋの部分）の少なくとも１が折られていない状態の第１の板体４１と、くじ３１を形成する際に折られるべき部分（図８中、線Ｍの部分）が折られていない状態の第２の板体６１と、を含んでなる、本おみくじを作成するための製作セットである。
【図面の簡単な説明】
【００３１】
【図１】一例の本考案のおみくじ（本おみくじ）の箱体を示す斜視図である。
【図２】図１のＡ−Ａ端面図である。
【図３】図１のＢ−Ｂ断面図（一部省略）である。
【図４】一例の本おみくじの１のくじを示す斜視図である。
【図５】図４のＤ−Ｄ断面図である。
【図６】側面部を形成するための筒状になるように接合された第１の板体を示した図である。
【図７】第２底面部を構成するための板状部材と第１底面部を構成するための板状部材とを示す平面図である。
【図８】１のくじを形成するための第２の板体を示す平面図である。
【図９】製作セットに含まれるシールを示す図である。
【符号の説明】
【００３２】
１３      箱体
１５      側面部
１５ａ    一辺近傍
１５ｂ    他辺近傍
１７      第１底面部
１７ａ    第１底面部糊代部分
１７ｂ    略正六角形の部分
１９      第２底面部
１９ａ    第２底面部糊代部分
１９ｂ    略正六角形の部分
１９ｈ    開口
２１      被覆シール
２３      被覆シール
２５      表示シール
２７      開口保護シール
３１      くじ
３１ａ    一辺近傍
３１ｂ    他辺近傍
３１ｓ    外面
３３      表示シール
４１      第１の板体
４１ｓ    表面
４５ａ    一辺近傍
４５ｂ    他辺近傍
５１      板状部材
５１ａ    糊代部分
５１ｂ    略正六角形の部分
５１ｈ    開口
５１ｓ    面
５５      板状部材
５５ａ    糊代部分
５５ｂ    略正六角形の部分
５５ｓ    面
６１      第２の板体
６１ａ    一辺近傍
６１ｂ    他辺近傍
６１ｓ    面
７０      シール
７１ａ、７１ｂ、７１ｃ  第１被覆シール部
７３ａ、７３ｂ、７３ｃ  第２被覆シール部
７５ａ、７５ｂ  表示シール部
７７      開口保護シール部
７９      くじ表示シール部
７９ａ    予備のくじ表示シール部
【図１】
0003109267.tif 000003
【図２】
0003109267.tif 000004
【図３】
0003109267.tif 000005
【図４】
0003109267.tif 000006
【図５】
0003109267.tif 000007
【図６】
0003109267.tif 000008
【図７】
0003109267.tif 000009
【図８】
0003109267.tif 000010
【図９】
0003109267.tif 000011